(57)【要約】  リソース構成方法、レスポンス信号の送信方法、基地局及びユーザ装置が提供される。該リソース構成方法は、PHICHリソースを、ユーザ装置のためにスケジューリングされている現在のサブフレームのデータリソースにおける第2個のタイムスロットのデータ領域に構成することを含む。基地局は、構成されているデータリソースを用いてレスポンス信号の伝送を行うことができるため、構成されている新しいPHICHリソースは、従来に存在するPHICHリソース不足の問題を解決することができる。
2014512767.tif 000002
【特許請求の範囲】
【請求項１】
リソース構成方法であって、
PHICHリソースを、ユーザ装置のためにスケジューリングされている現在のサブフレームのデータリソースにおける第2個のタイムスロットのデータ領域に構成することを含む、方法。
【請求項２】
請求項1に記載の方法であって、
現在のサブフレームのデータ領域に、前記ユーザ装置が下りデータの送信を行うことをスケジューリングするための制御シグナリングが存在する時に、前記PHICHリソースを、前記制御シグナリングの所在する最低周波数領域位置の物理リソースブロックペアの第2個のタイムスロットの物理リソースブロックに構成する、方法。
【請求項３】
請求項1に記載の方法であって、
現在のサブフレームに、前記ユーザ装置が下りデータの送信を行うことをスケジューリングするための制御シグナリングが存在しないが、下りデータが存在する時に、前記PHICHリソースを、最低周波数領域位置の物理リソースブロックペアの第2個タイムスロットの物理リソースブロックに構成する、方法。
【請求項４】
請求項2又は3に記載の方法であって、
前記PHICHリソースを、デモジュレーションリファレンス信号を囲むように構成し、また、システムの全ての構成可能なチャネル状態情報リファレンス信号の位置を避けるように構成する、方法。
【請求項５】
請求項4に記載の方法であって、
前記PHICHリソースを、前記第2個タイムスロットの第5個乃至第7個のOFDMシンボルの送信データのリソースエレメントに構成する、方法。
【請求項６】
請求項1に記載の方法であって、
基地局が、複数のユーザ装置が共用する前記PHICHリソースを半静的に構成する、方法。
【請求項７】
請求項1に記載の方法であって、
前記PHICHリソースを、コモンリファレンス信号を囲むように構成する、方法。
【請求項８】
請求項6に記載の方法であって、
前記PHICHリソースを、前記第2個のタイムスロットの第2個のOFDMシンボルの送信データのリソースエレメントに構成する、方法。
【請求項９】
レスポンス信号の送信方法であって、
基地局がユーザ装置に、前記基地局が前記ユーザ装置により送信されている上りデータを受信した後にレスポンス信号を送信するPHICHリソースの所在する領域を通知する通知ステップであって、前記領域は、基地局により構成されている専用データ領域又はコモンデータ領域、或いは、規定されている領域を含む、通知ステップ；
記基地局が、前記ユーザ装置により送信されている上りデータを受信する受信ステップ；
前記基地局が、受信した前記上りデータに対して処理を行い、レスポンス信号を取得する処理ステップ；及び
前記基地局が、前記領域におけるPHICHリソースを用いて前記レスポンス信号を送信する送信ステップを含む、方法。
【請求項１０】
請求項9に記載の方法であって、
前記通知ステップの前に、前記方法は、
レスポンス信号を送信するPHICHリソースの専用データ領域又はコモンデータ領域を構成するリソース構成ステップであって、前記専用データ領域又はコモンデータ領域は、ユーザ装置のためにスケジューリングされている現在のサブフレームのデータリソースにおける第2個のタイムスロットのデータ領域に位置する、リソース構成ステップを更に含み、
前記専用データ領域とは、現在のサブフレームに、前記ユーザ装置が下りデータの送信を行うことをスケジューリングするための制御シグナリングが存在する時に、又は、現在のサブフレームに、前記ユーザ装置が下りデータの送信を行うことをスケジューリングするための制御シグナリングが存在しないが、下りデータが存在する時に、ユーザ装置のためにスケジューリングされているデータリソースから区分されている一部のデータ領域を指し、
前記コモンデータ領域とは、基地局が半静的に構成する、複数のユーザ装置が共用する一部のデータ領域を指す、方法。
【請求項１１】
請求項9に記載の方法であって、
前記通知ステップは、
前記基地局が、レスポンス信号を送信するPHICHリソースの所在する領域を構成し、構成した前記領域を前記ユーザ装置に通知することを含む、方法。
【請求項１２】
請求項9に記載の方法であって、
前記通知ステップは、
前記基地局が、上りデータをスケジューリングするための制御シグナリングにより、前記ユーザ装置に、レスポンス信号を送信するPHICHリソースの所在する領域を通知することを含む、方法。
【請求項１３】
請求項12に記載の方法であって、
前記基地局が、前記上りデータをスケジューリングするための制御シグナリングに新しく追加されている又は予備の1個又は2個のビットにより、前記ユーザ装置に通知する、方法。
【請求項１４】
請求項12に記載の方法であって、
前記通知ステップは、
前記基地局が、レスポンス信号を送信する時に、下りデータの送信があるかどうかに基づいて、レスポンス信号を送信するPHICHリソースの所在する領域を確定し；及び
確定した前記領域を前記ユーザ装置に通知することを含む、方法。
【請求項１５】
請求項14に記載の方法であって、
前記基地局が、レスポンス信号を送信する時に、下りデータの送信があるかどうかに基づいて、レスポンス信号を送信するPHICHリソースの所在する領域を確定することは、
下りデータの送信があれば、前記PHICHリソースが前記専用データ領域に位置すると確定し；及び
下りデータの送信がなければ、前記PHICHリソースが前記コモンデータ領域又は規定されている領域に位置すると確定することを含む、方法。
【請求項１６】
請求項9に記載の方法であって、
専用データ領域に位置する時に、前記送信ステップでは、前記基地局が、前記領域のPHICHリソースを用いて一個以上のレスポンス信号を送信する時に、各レスポンス信号が、異なる周波数拡散シーケンスに対応する、方法。
【請求項１７】
請求項16に記載の方法であって、
前記各レスポンス信号が対応するPHICHリソースの周波数拡散シーケンスインデックスは、対応するキャリアのインデックス及び前記キャリア上の伝送ブロックのインデックスに基づいて確定される、方法。
【請求項１８】
請求項17に記載の方法であって、
前記各レスポンス信号が対応するPHICHリソースの周波数拡散シーケンスインデックスは、次の公式により求められ、
【数８】
2014512767.tif 000030
そのうち、nackは、レスポンス信号が対応する周波数拡散シーケンスインデックスを表し、nccは、レスポンス信号が対応するキャリアのインデックスを表す、方法。
【請求項１９】
請求項9に記載の方法であって、
前記PHICHリソースにおいて前記レスポンス信号を送信するビット数は、前記ユーザ装置のために構成されている上りキャリアの個数及び前記上りキャリアにおいて構成されている伝送モードにより決定される、方法。
【請求項２０】
請求項19に記載の方法であって、
前記レスポンス信号のビット数は、次の公式により求められ、
【数９】
2014512767.tif 000031
そのうち、Nackは、レスポンス信号の総ビット数であり、
（外１９）
2014512767.tif 000032
は、各キャリア上の伝送ブロックの個数であり、各伝送ブロックは、１個のレスポンス信号のビットに対応し、Nccは、構成されているキャリアの総数である、方法。
【請求項２１】
請求項9に記載の方法であって、
前記PHICHリソースの所在する領域がコモンデータ領域である時に、前記コモンデータ領域の使用可能なPHICH組の総数は、
【数１０】
2014512767.tif 000033
であり、そのうち、
（外２０）
2014512767.tif 000034
は、コモンデータ領域の使用可能なPHICH組の総数を表し、
（外２１）
2014512767.tif 000035
は、コモンデータ領域の区分されているリソースブロックの総数であり、Ngは、上位層により構成されているパラメータであり、
前記コモンデータ領域において、ユーザ装置のPHICH組のインデックス及び前記PHICH組に用いるシーケンスのインデックスは、
【数１１】
2014512767.tif 000036
であり、
そのうち、nDMRSは、DM-RSのサイクリックシフトインデックスが対応する順番号を表し、
（外２２）
2014512767.tif 000037
は、最低の上りデータのリソースブロックインデックスを表し、
（外２３）
2014512767.tif 000038
は、周波数拡散シーケンスの程度を表し、
（外２４）
2014512767.tif 000039
であり、そのうち、サブフレームn=4又は9において、PUSCH伝送のTDD  UL/DLの構成0がある場合、IPHICH=1であり、他の場合、IPHICH=0である、方法。
【請求項２２】
基地局であって、
ユーザ装置に、前記基地局が前記ユーザ装置により送信されている上りデータを受信した後にレスポンス信号を送信するPHICHリソースの所在する領域を通知するための通知ユニットであって、前記領域は、規定されている領域、或いは、基地局により構成されている専用データ領域又はコモンデータ領域である、通知ユニット；
前記ユーザ装置により送信されている上りデータを受信するための受信ユニット；
受信した前記上りデータに対して処理を行い、レスポンス信号を取得するための処理ユニット；及び
前記領域におけるPHICHリソースを用いて前記レスポンス信号を送信するための送信ユニットを含む、基地局。
【請求項２３】
請求項22に記載の基地局であって、
レスポンス信号を送信するPHICHリソースの専用データ領域又はコモンデータ領域を構成するためのリソース構成ユニットであって、前記専用データ領域又はコモンデータ領域は、ユーザ装置のためにスケジューリングされている現在のサブフレームのデータリソースにおける第2個のタイムスロットのデータ領域に位置する、リソース構成ユニットを更に含み、
前記専用データ領域とは、現在のサブフレームに、前記ユーザ装置が下りデータの送信を行うことをスケジューリングするための制御シグナリングが存在する時に、又は、現在のサブフレームに、前記ユーザ装置が下りデータの送信を行うことをスケジューリングするための制御シグナリングが存在しないが、下りデータが存在する時に、ユーザ装置のためにスケジューリングされているデータリソースから区分されている一部のデータ領域を指し、
前記コモンデータ領域とは、基地局が半静的に構成する、複数のユーザ装置が共用する一部のデータ領域を指す、基地局。
【請求項２４】
請求項22に記載の基地局であって、
記通知ユニットは、
レスポンス信号を送信するPHICHリソースの所在する領域を構成するための領域構成ユニット；及び
前記領域構成ユニットにより構成されている前記領域を前記ユーザ装置に通知するための情報通知ユニットを含む、基地局。
【請求項２５】
請求項22に記載の基地局であって、
前記通知ユニットは、具体的に、上りデータをスケジューリングするための制御シグナリングにより、前記ユーザ装置に、レスポンス信号を送信するPHICHリソースの所在する領域を通知する、基地局。
【請求項２６】
レスポンス信号の送信方法であって、
ユーザ装置が、基地局により送信されている通知メッセージを検出するメッセージ検出ステップであった、前記通知メッセージは、ユーザ装置に、前記基地局が前記ユーザ装置により送信されている上りデータを受信した後にレスポンス信号を送信するPHICHリソースの所在する領域を通知するために用いられ、前記領域は、規定されている領域、或いは、基地局により構成されている専用データ領又はコモンデータ領域である、メッセージ検出ステップ；
前記ユーザ装置が、前記基地局に上りデータを送信するデータ送信ステップ；及び
前記ユーザ装置が、前記基地局により送信されている通知メッセージを検出している時に、前記基地局により通知されている領域において前記レスポンス信号を検出する第一信号検出ステップを含む、方法。
【請求項２７】
請求項26に記載の方法であって、
前記基地局が、上りデータをスケジューリングするための制御シグナリングにより、前記ユーザ装置に、レスポンス信号を送信するPHICHリソースに所在する領域を通知する時に、
前記メッセージ検出ステップにおいて、前記ユーザ装置が、前記上りデータをスケジューリングするための制御シグナリングを検出していなければ、前記方法は、更に、
前記ユーザ装置が、前記基地局がレスポンス信号を送信する時に、前記ユーザ装置が下りデータの送信をスケジューリングするための制御シグナリングが存在することを検出していれば、前記ユーザ装置が、対応する、前記装置が下りデータの送信をスケジューリングユーザするための制御シグナリングの第2個のタイムスロットの物理リソースブロックにおいて前記レスポンス信号を検出する第二信号検出ステップを含み、
或いは、前記メッセージ検出ステップにおいて、前記ユーザ装置が、前記上りデータをスケジューリングするための制御シグナリングを検出していれば、前記方法は、更に、
前記ユーザ装置が、前記基地局がレスポンス信号を送信する時に、前記ユーザ装置が下りデータの送信をスケジューリングするための制御シグナリングが存在することを検出していなければ、前記ユーザ装置が、全ての送信可能な、前記ユーザ装置が下りデータの送信をスケジューリングするための制御シグナリングの位置に対応するタイムスロットの物理リソースブロックにおいて前記レスポンス信号をブラインド検出する第三信号検出ステップを含む、方法。
【請求項２８】
ユーザ装置であって、
基地局により送信されている通知メッセージを検出するためのメッセージ検出ユニットであって、前記通知メッセージは、ユーザ装置に、前記基地局が前記ユーザ装置により送信されている上りデータを受信した後レスポンス信号を送信するPHICHリソースの所在する領域を通知するために用いられ、前記領域は、規定されている領域、或いは、基地局により構成されている専用データ領域又はコモンデータ領域である、メッセージ検出ユニット；
上りデータを送信するためのデータ送信ユニット；及び
前記基地局により送信されている通知メッセージを検出している時に、前記基地局により通知されている領域において前記レスポンス信号を検出するための信号検出ユニットを含む、ユーザ装置。
【発明の詳細な説明】
【技術分野】
【０００１】
本発明は、無線通信技術に関し、特に、リソース構成方法、レスポンス信号送信方法、基地局及びユーザ装置に関する。
【背景技術】
【０００２】
図1は、ロング・ターム・エボリューション（LTE：Long  Term  Evolution）システムにおいて基地局が上りデータの送信をスケジューリングする時間シーケンスを示す図である。図1に示すように、基地局は、下りサブフレームnにて上りスケジューリングシ用グナリングUL  grantを送信し、移動局は、UL  grantを受信した後に、上りサブフレームn+k1にて上りデータパケットを送信し、基地局は、下りサブフレームn+k2にて該上りデータパケットに対応するデコーディングレスポンス信号ACK（Acknowledgement、確認）/NACK（Negative  Acknowledgement、非確認）を送信し、ACK/NACKは、それぞれ、デコーディング正確（成功）/デコーディング錯誤（失敗）を表す。
【０００３】
そのうち、周波数分割デュプレックス（FDD：Frequency  Division  Duplexing）システムについては、k1=k2=4である。例えば、図1では、基地局が、下りサブフレーム#0にて、ある移動局に上りスケジューリング用指令UL  grantを送信しており、該移動局が、該指令を受信した後に、上りサブフレーム#4にて、対応する上りデータパケットを送信し、該基地局が、下りサブフレーム#8にて、該上りデータパケットに対応するデコーディングレスポンス信号（ACK/NACK）を送信する。下りサブフレーム#8にて送信したレスポンス信号は、物理ハイブリッド自己適応再送指示チャネル(PHICH、Physical  HARQ  Indicator  Channel)により送信されてもよく、UL-grantにより送信されてもよい。対応するデコーディングレスポンス信号がNACKであれば、前者は、再送が非自己適応再送であることを表し、即ち、再送信号及び初送信号が完全に同じであり、後者は、再送が自己適応再送であることを表し、即ち、再送時の送信データbit、送信位置、送信フォーマットなどの情報を調整することができる。
【０００４】
図2は、基地局がPHICHにてデコーディングレスポンス信号を送信するフローチャートである。図2に示すように、送信端では、基地局がデコーディングレスポンス信号を2進数（バイナリ）として表し、例えば、ソースビット1(=ACK)を送信することは、デコーディングが正確（成功）であることを表し、ソースビット0(=NACK)を送信することは、デコーディングが錯誤（失敗）であることを表し；デコーディングレスポンス信号に対して重複エンコーディングを行い、三回重複し；エンコーディング後の各ビットに対してバイナリ位相偏移変調（BPSK：Binary  Phase  Shift  Keying）を行い、その後、スクランブリング/周波数拡散をそれぞれ行い；スクランブリング/周波数拡散後のシーケンスを、マッピングされているPHICH物理リソースにて送信する。複数の移動局の送信シーケンスは、同じ物理リソースにマッピングされていれば、互いに直交する周波数拡散シーケンスにより区分される。
【０００５】
図2に示すように、仮にBPSK変調後のシーケンスがz(0),…,z(2)であるとすれば、従来の標準に規定のスクランブリング/周波数拡散の公式は、次のようである。
【数１】
2014512767.tif 000003
【０００６】
そのうち、
（外１）
2014512767.tif 000004
は、周波数拡散シーケンスであり、表1に示すようであり、Msymbは、スクランブリング/周波数拡散後のシーケンスの長さであり、普通サイクリックプレフィックスについて、スクランブリング/周波数拡散後のシーケンスの長さは、Msymb=12であり；拡展サイクリックプレフィックスについて、スクランブリング/周波数拡散後のシーケンスの長さは、Msymb=6であり；普通サイクリックプレフィックス（Normal  Cyclic  Prefix）のサブフレームについて、周波数拡散シーケンスの程度は、
（外２）
2014512767.tif 000005
であり、拡展サイクリックプレフィックス（Extended  Cyclic  Prefix）のサブフレームについて、
（外３）
2014512767.tif 000006
であり；c(i)は、スクランブリングシーケンスであり、ここでは、詳しい説明を省略する。
【表１】
2014512767.tif 000007
【０００７】
Rel8/9/10では、使用可能なPHICH組（グループ）の総数は、
【数２】
2014512767.tif 000008
である。
【０００８】
そのうち、
（外４）
2014512767.tif 000009
は、上位層により構成されているパラメータであり、
（外５）
2014512767.tif 000010
は、現在のバンド幅でのシステムのリソースブロック（RB：Resource  Block）の総数であり、各PHICH組には、8個の使用可能なシーケンスがあり、表2に示すようである。表2は、サイクリックシフトインデックスを示す。
【表２】
2014512767.tif 000011
【０００９】
移動局に用いるPHICHのマッピングするリソースは、上りデータに対応する最低のリソースブロック（RB：Resource  Block）のインデックス、及び、割り当てられているデモジュレーションリファレンス信号（復調参照信号）（DM-RS：Demodulation  Reference  Symbol）のサイクリックシフトインデックスにより確定される。この二つの情報は全て、この上りデータをスケジューリングするためのUL  grantに含まれる。
【００１０】
具体的には、PHICHリソースは、パラメータ
（外６）
2014512767.tif 000012
により決定される。そのうち、
（外７）
2014512767.tif 000013
は、PHICH組のインデックスであり、該PHICHが実際に占用する物理リソースを表し、
（外８）
2014512767.tif 000014
は、所在するPHICH組における直交シーケンスインデックスであり、該PHICHが占用するシーケンスリソースを表す。マルチアンテナによる上り送信を考慮しない前提では、この二つのパラメータは、次のように定義される。
【数３】
2014512767.tif 000015
【００１１】
そのうち、nDMRSは、DM-RSが対応するサイクリックシフトインデックスにより対応して得られ、表2に示すようであり、
（外９）
2014512767.tif 000016
は、最低の上りデータのリソースブロックインデックスであり、
（外１０）
2014512767.tif 000017
は、上位層により構成されているPHICH組の総数であり、
（外１１）
2014512767.tif 000018
であり、そのうち、サブフレームn=4又は9に、PUSCH伝送のTDD  UL/DLの構成0がある場合について、IPHICH=1であり、他の場合について、IPHICH=0である。
【００１２】
対応するUL-Grantがない上りデータについて、例えば、半静的に構成されている上りデータ伝送について、nDMRSの値は、固定で0と設定される。
【００１３】
LTEでは、PHICHは、一般的に、第１個の直交波周波数分割多重（OFDM：Orthogonal  Frequency  Division  Multiplexing）シンボルに置かれ、上述のように、複数の移動局のPHICHは、多重されて同じ物理リソースにて送信され、直交シーケンスにより区分され得る。移動局は、PHICHを復調する時に、コモンリファレンス信号(CRS：Common  Reference  Symbol)を採用してチャネル推定を行う。
【００１４】
しかし、本発明の実現過程において、発明者は、従来技術の欠点は、あるシナリオにおいて、例えば、従来のPHICHの容量が限られ、即ち、従来のLTE規格に規定のPHICHリソースマッピング方式で全ての移動局のPHICHを置くことができず、又は、中継を含む場合、中継により、前の幾つかのOFDMシンボルを受信することができず、よって、上述のシナリオにおいて、PHICHリソースを使用してデコーディングレスポンス信号を伝送することができないことにあることを発見した。今のところ、上述の問題を有効に解決する方法がまだない。
【００１５】
なお、上述の背景技術に対する紹介は、本発明の技術案を明確かつ完全に説明するため、また、当業者が本発明を理解しやすいためのものだけである。これらの案が本発明の背景技術の部分に述べられているから、上述の技術案が当業者にとって公知のものであると思われてはいけない。
【発明の概要】
【発明が解決しようとする課題】
【００１６】
本発明の実施例の目的は、リソース構成方法、レスポンス信号送信方法、基地局、及びユーザ装置を提供することにあり、基地局は、更に、データ領域において構成されているPHICHリソースによりレスポンス信号の伝送を行うことができるため、上述の問題を解決することができる。
【課題を解決するための手段】
【００１７】
本発明の実施例の一側面によれば、リソース構成方法が提供され、該方法は、
PHICHリソースを、ユーザ装置のためにスケジューリングされている現在のサブフレームのデータリソースにおける第2個のタイムスロットのデータ領域に構成することを含む。
【００１８】
本発明の実施例の他の側面によれば、レスポンス信号の送信方法が提供され、該方法は、
基地局がユーザ装置に、該基地局が該ユーザ装置により送信されている上りデータを受信した後にレスポンス信号を送信するPHICHリソースの所在する領域を通知する通知ステップであって、該領域は、基地局により構成されている専用データ領域又はコモンデータ領域、或いは、規定されている領域を含む、通知ステップ；
該基地局が、該ユーザ装置により送信されている上りデータを受信する受信ステップ；
該基地局が、受信した該上りデータに対して処理を行い、レスポンス信号を取得する処理ステップ；及び
該基地局が、該領域のPHICHリソースを用いて該レスポンス信号を送信する送信ステップを含む。
【００１９】
本発明の実施例の他の側面によれば、基地局が提供され、該基地局は、
ユーザ装置に、該基地局が該ユーザ装置により送信されている上りデータを受信した後にレスポンス信号を送信するPHICHリソースの所在する領域を通知するために用いられる通知ユニットであって、該領域は、規定されている領域、或いは、基地局により構成されている専用データ領域又はコモンデータ領域を含む、通知ユニット；
該ユーザ装置により送信されている上りデータを受信するために用いられる受信ユニット；
受信した該上りデータに対して処理を行い、レスポンス信号を取得するために用いられる処理ユニット；及び
該領域のPHICHリソースを用いて該レスポンス信号を送信するための送信ユニットを含む。
【００２０】
本発明の実施例の他の側面によれば、レスポンス信号の送信方法が提供され、該方法は、
ユーザ装置が、基地局により送信されている通知メッセージを検出するメッセージ検出ステップであって、該通知メッセージは、ユーザ装置に、該基地局が該ユーザ装置により送信されている上りデータを受信した後にレスポンス信号を送信するPHICHリソースの所在する領域を通知するために用いられ、該領域は、規定されている領域、或いは、基地局により構成されている専用データ領域又はコモンデータ領域を含む、メッセージ検出ステップ；
該ユーザ装置が、該基地局に上りデータを送信するデータ送信ステップ；及び
該ユーザ装置が、該基地局により送信されている通知メッセージを検出した時に、該基地局により通知されている領域において該レスポンス信号を検出する第一信号検出ステップを含む。
【００２１】
本発明の実施例の他の側面によれば、ユーザ装置が提供され、該ユーザ装置は、
基地局により送信されている通知メッセージを検出するために用いられるメッセージ検出ユニットであって、該通知メッセージは、ユーザ装置に、該基地局が該ユーザ装置により送信されている上りデータを受信した後にレスポンス信号を送信するPHICHリソースの所在する領域を通知するために用いられ、該領域は、規定されている領域、或いは、基地局により構成されている専用データ領域又はコモンデータ領域を含む、メッセージ検出ユニット；
上りデータを送信するためのデータ送信ユニット；及び
該基地局により送信されている通知メッセージを検出した時に、該基地局により通知されている領域において該レスポンス信号を検出するために用いられる信号検出ユニットを含む。
【００２２】
本発明の実施例の有益な効果は、PHICHリソースを、ユーザ装置のためにスケジューリングされている現在のサブフレームのデータリソースにおける第2個のタイムスロットのデータ領域に構成し、基地局は該データリソースによりレスポンス信号の伝送を行うことができるため、従来に存在するPHICHリソース不足の問題を解決することができる。
【００２３】
後述の説明及び図面により、本発明の特定の実施形態を詳細に開示し、本発明の原理が採用され得る方式を明確に示している。理解すべきは、本発明の実施形態は、範囲上では、それによって限定されることがない。添付した特許請求の範囲の思想及び技術的範囲内では、本発明の実施形態は、あらゆる変形、変更及び代替によるものをも含む。
【００２４】
一種の実施形態について説明した及び/又は示した特徴は、同じ又は類似する形で一つ又は複数の他の実施形態に用い、他の実施形態中の特徴と組み合わせ、又は、他の実施形態中の特徴を置換することもできる。
【００２５】
強調すべきは、“包括/含む”のような語は、本文に用いる時に、特徴、部品全体、ステップ又は組み立て部品の存在を指すが、一つ又は複数の他の特徴、部品全体、ステップ又は組み立て部品の存在又は付加を排除しないことである。
【図面の簡単な説明】
【００２６】
以下の図面を参照することにより、本発明の多くの側面をより良く理解することができる。図面中の部品は、比例して描かれたものでなく、発明の原理を示すためだけのものである。本発明の一部を容易に示す及び説明するために、図面中の対応する部分は、拡大又は縮小することがある。本発明の一つの図面又は一種の実施形態に記載の要素及び特徴は、一つ又は複数の他の図面又は実施形態に示す要素及び特徴と組み合わせてもよい。また、図面中では、類似する符号は、幾つかの図面中の対応する部品を示し、また、一種以上の実施形態に用いる対応する部品を示すためにも使用される。
【図１】LTEシステムにおいて上りデータを送信する時間シーケンス図である。
【図２】LTEシステムにおいて基地局がPHICHによりデコーディングレスポンス信号を送信するフローチャートである。
【図３】本発明の実施例1における一つのリソースの構成図である。
【図４】本発明の実施例1におけるもう一つのリソースの構成図である。
【図５】本発明の実施例3によるレスポンス信号の送信方法のフローチャートである。
【図６】本発明の実施例4による基地局の構成図である。
【図７】本発明の実施例5によるレスポンス信号の送信方法のフローチャートである。
【図８】本発明の実施例6によるユーザ装置の構成図である。
【図９】本発明の実施例7によるレスポンス信号の送信方法のフローチャートである。
【図１０】本発明の実施例8による基地局の構成図である。
【発明を実施するための形態】
【００２７】
図面に基づく次の説明により、本発明の実施例の上述及び他の特徴は、より明確になる。これらの実施形態は、例示的なものだけであり、本発明を限定するためのものではない。当業者が本発明の原理及び実施形態を容易に理解することができるために、本発明の実施形態は、後述のLTE/LTE-Aシステムにおけるリソースの構成方法及びレスポンス信号の送信方法を例として説明を行うが、理解すべきは、本発明の実施例は、PHICHリソースの構成及びレスポンス信号の送信に関する任意のシステムに適用できるとのことである。
【実施例１】
【００２８】
本発明の実施例は、リソース構成方法を提供する。該方法は、PHICHリソースを、現在のサブフレームによりユーザ装置のためにスケジューリングされているデータリソースにおける第2個のタイムスロットのデータ領域に構成することを含む。
【００２９】
上述の実施例から分かるように、PHICHリソースを、ユーザ装置のためにスケジューリングされている現在のサブフレームのデータリソースにおける第2個のタイムスロットのデータ領域に構成し、基地局は、該データリソースによりレスポンス信号の伝送を行うことができるので、構成されている新しいPHICHリソースにより、従来に存在するPHICHリソース不足の問題を解決することができる。
【００３０】
一つの実施例では、現在のサブフレームのデータ領域に、該ユーザ装置が下りデータの送信を行うことをスケジューリングするための制御シグナリング（DL  grant）が存在する時に、該PHICHリソースを、該制御シグナリング（DL  grant）の所在する最低周波数領域位置の物理リソースブロックペア（PRB  pair）の第2個のタイムスロットの物理リソースブロックに構成する。
【００３１】
一つの実施例では、半静的スケジューリング（Semi-Persistent  Scheduling）方式について、現在のサブフレームに、該ユーザ装置が下りデータの送信を行うことをスケジューリングするための制御シグナリング（DL  grant）が存在しないが、下りデータが存在する時に、該PHICHリソースを、最低周波数領域位置の物理リソースブロックペア（RPB  Pair）の第2個のタイムスロットの物理リソースブロックに構成する。
【００３２】
上述の実施例では、現在のサブフレームに該ユーザ装置のDL  grant又はデータが含まれる場合について、PHICHリソースを、該ユーザ装置をケジューリングするためのデータリソースの区分されている一部の領域、即ち、第2個のタイムスロットのデータ領域に構成してもよく、ここでは、該領域を専用データ領域と称する。
【００３３】
図3は、本発明の実施例1におけるリソースの構成図である。図3に示すように、前記PHICHリソースをDM-RSを囲むように構成し、また、システムの全ての構成可能なチャネル状態情報リファレンス信号（チャネル状態情報参照信号）(CSI-RS：Channel  State  Information−Reference  Symbol)の位置を避け、そのうち、CSI-RSを避ける原因は、異なるユーザ装置（移動局）について、基地局が異なるCSI-RSのパラメータを構成することができることにあり、これらのパラメータは、CSI-RSのアンテナの数、CSI-RSが占用するリソースエレメントREなどを含む。異なるCSI-RSが占用するREのためにそれぞれPHICHの位置を規定すれば、可能性が多すぎる。標準化の面から、標準化の複雑度を低減するために、PHICHの所在する位置は、システムの全ての構成可能なCSI-RSのリソースエレメントを避ける必要がある。
【００３４】
具体的には、該PHICHリソースを、該第2個のタイムスロットの第5乃至第7個のOFDMシンボルの送信データのリソースエレメント（RE：Resource Element）に構成してもよく、このように、第2個のタイムスロットの第5乃至第7個のOFDMシンボルの送信データのリソースエレメントにより専用データ領域を構成する。
【００３５】
一つの実施例では、該基地局は、複数のユーザ装置が共有する該PHICHリソースを半静的に構成してもよい。このように、基地局は、システム中の複数のユーザ装置のために、一部の領域を半静的に区分することにより確保し、PHICHリソースを構成することにより、複数のユーザ装置に、該領域を共用させることができる。該領域では、複数のユーザ装置のPHICHが占用するリソースが共用領域において混ざることができ、これにより、各ユーザ装置が占用する物理リソースが全ての区分されているリソースのリソースエレメントに拡張することができ、このように、特別の周波数領域ダイバーシティ利得をもたらすことができる。ここでは、複数のユーザ装置が共用する領域をコモンデータ領域と称する。
【００３６】
図4は、本発明の実施例1におけるもう一つのリソースの構成図である。図4に示すように、コモン領域のPHICH復調（Demodulation）のパフォーマンスを向上させるために、該PHICHリソースを、コモンリファレンス信号（コモン参照信号）（CRS：Common  Reference  Symbol）を囲むように構成し、即ち、PHICHを置くためのRB上の使用可能なPHICHリソースがCRSを囲むように置かれる。図4に示すように、具体的に、該PHICHリソースを、第2個のタイムスロットの第2個のOFDMシンボルの送信データのリソースエレメントに構成することにより、周波数領域ダイバーシティ利得を取得することができる。図4に示すように、第2個のタイムスロットの第2個のOFDMシンボルの送信データのリソースエレメントにより、コモンデータ領域を構成する。
【００３７】
図3及び図4に示すように、従来の標準では、例えば、Rel8/9/10では、構成されているPHICHリソースは、規定されている領域（従来の領域）、即ち、第1個のタイムスロットに位置する。
【００３８】
上述から分かるように、基地局は、三つの領域において構成されているPHICHリソースを利用してレスポンス信号を送信することができ、該三つの領域は、それぞれ、専用データ領域又はコモンデータ領域、或いは、規定されている領域であり、この三つの領域にPHICHリソースを追加することにより、従来に存在する問題を解決することができる。
【００３９】
上述の実施例から分かるように、PHICHリソースを、ユーザ装置のためにスケジューリングされている現在のサブフレームのデータリソースにおける第2個のタイムスロットのデータ領域に構成し、基地局は、該データリソースによりレスポンス信号の伝送を行うことができるため、従来に存在するPHICHリソース不足の問題を解決することができる。
【００４０】
本発明の実施例は、更に、次の実施例2に記載のように、リソース構成装置をも提供する。該リソース構成装置が問題を解決する原理は、上述の実施例1のリソース構成装置に基づくリソース構成方法と類似し、該リソース構成装置の実施は、上述の方法の実施を参照することができるので、ここでは、重複説明を省略する。
【実施例２】
【００４１】
本発明の実施例は、リソース構成装置をも提供し、該装置は、リソース構成ユニットを含み、該リソース構成ユニットは、PHICHリソースを、ユーザ装置のためにスケジューリングされている現在のサブフレームのデータリソースにおける第2個のタイムスロットのデータ領域に構成するために用いられる。
【００４２】
上述の実施例から分かるように、PHICHリソースを、ユーザ装置のためにスケジューリングされている現在のサブフレームのデータリソースにおける第2個のタイムスロットのデータ領域に構成し、基地局は、該データリソースによりレスポンス信号の伝送を行うことができ、構成されている新しいPHICHリソースにより、従来に存在するPHICHリソース不足の問題を解決することができる。
【００４３】
一つの実施例では、図3に示すように、現在のサブフレームのデータ領域に、該ユーザ装置による下りデータの送信をスケジューリングするための制御シグナリング（DL  grant）が存在する時に、該リソース構成ユニットは、具体的に、該PHICHリソースを、該制御シグナリングの所在する最低周波数領域位置の物理リソースブロックペアの第2個のタイムスロットの物理リソースブロックに構成するために用いられる。
【００４４】
一つの実施例では、半静的スケジューリング（Semi-Persistent  Scheduling）方式について、図3に示すように、現在のサブフレームに、ユーザ装置による下りデータの送信をスケジューリングするための制御シグナリング（DL grant）が存在しないが、下りデータが存在する時に、該リソース構成ユニットは、具体的に、該PHICHリソースを、最低周波数領域位置の物理リソースブロックペアの第2個のタイムスロットの物理リソースブロックに構成するために用いられる。
【００４５】
上述の実施例では、構成されているPHICHリソースの領域は、実施例1に記載のようであるので、ここでは、詳しい説明を省略する。
【００４６】
また、一つの実施例では、該リソース構成ユニットは、更に、具体的に、複数のユーザ装置が共用するPHICHリソースを半静的に構成するために用いられる。図4に示すように、予めシステム中の複数のユーザ装置のために、一部の領域を半静的に区分することにより確保してPHICHリソースを構成してもよく、これにより、複数のユーザ装置に、該領域を共用させることができる。そのうち、構成されているPHICHリソースの領域は、実施例1に記載のようであるので、ここでは、詳しい説明を省略する。
【００４７】
本実施例では、該リソース構成装置は、基地局であってもよい。
【００４８】
上述の実施例から分かるように、PHICHリソースを、ユーザ装置のためにスケジューリングされている現在のサブフレームのデータリソースにおける第2個のタイムスロットのデータ領域に構成し、基地局は、該データリソースによりレスポンス信号の伝送を行うことができるため、従来に存在するPHICHリソース不足の問題を解決することができる。
【実施例３】
【００４９】
本発明の実施例は、レスポンス信号の送信方法を提供する。図5は、本発明の実施例３のレスポンス信号の送信方法のフローチャートである。図5に示すように、該方法は、次のステップを含む。
【００５０】
ステップ501：通知ステップであって、基地局がユーザ装置に、該基地局が該ユーザ装置により送信されている上りデータを受信した後にレスポンス信号を送信するPHICHリソースの所在する領域を通知し、該領域は、基地局により構成されている専用データ領域又はコモンデータ領域、或いは、規定されている領域である、通知ステップ；
ステップ502：受信ステップであって、該基地局が、該ユーザ装置により送信されている上りデータを受信する、受信ステップ；
ステップ503：処理ステップであって、該基地局が、受信した該上りデータに対して処理を行い、レスポンス信号を取得する、処理ステップ；及び
ステップ503：送信ステップであって、該基地局が、該領域のPHICHリソースを利用して該レスポンス信号を送信する、送信ステップ。
【００５１】
上述の実施例から分かるように、基地局は、構成されているPHICHリソースを用いてレスポンス信号を送信し、且つ、該ユーザ装置に、PHICHリソースの所在する領域を通知し、これにより、ユーザ装置は、対応する領域において該レスポンス信号を検出し、送信データが新しい送信データでかるか、それとも再送データであるかを確定することができる。基地局により、レスポンス信号を送信するPHICHリソースを構成しているので、従来に存在するPHICHリソース不足の問題を解決することができる。
【００５２】
本実施例では、該レスポンス信号は、ACK/NACKメッセージである。
【００５３】
本実施例では、通知ステップ501の前に、該方法は、更に次のステップを含む。
【００５４】
リソース構成ステップであって、レスポンス信号を送信するPHICHリソースの専用データ領域又はコモンデータ領域を構成するステップである。そのうち、該専用データ領域又はコモンデータ領域は、ユーザ装置のためにスケジューリングされている現在のサブフレームのデータリソースにおける第2個のタイムスロットのデータ領域に位置する。
【００５５】
該専用データ領域とは、現在のサブフレームのデータ領域に、該ユーザ装置による下りデータの送信をスケジューリングするための制御シグナリング（DL  grant）が存在する時に、又は、現在のサブフレームに、該ユーザ装置による下りデータの送信をスケジューリングするための制御シグナリング（DL  grant）が存在しないが、下りデータが存在する時に、ユーザ装置のためにスケジューリングされているデータリソースから区分されている一部のデータ領域を指し、例えば、図3に示す領域である。
【００５６】
該コモンデータ領域とは、基地局により半静的に構成される、複数のユーザ装置が共用する一部のデータ領域を指し、例えば、図4に示す領域である。
【００５７】
そのうち、具体的な構成方式、及び、専用データ領域の位置、コモンデータ領域の位置は、実施例1に記載のようであり、該専用データ領域は、図3に示すようであり、該コモンデータ領域は、図4に示すようであるので、ここでは、詳しい説明を省略する。
【００５８】
一つの実施例では、通知ステップ501は、基地局が、レスポンス信号を送信するPHICHリソースの所在する領域を構成し、構成した該領域を該ユーザ装置に通知することを含んでもよい。そのうち、基地局は、上位層シグナリング、例えば、無線リソース制御（RRC：Radio  Resource  Control）シグナリングにより、レスポンス信号を送信するPHICHリソースの所在する領域を構成し、その後、該ユーザ装置に通知してもよく、このように、該ユーザ装置は、上りデータを送信した後に、基地局により通知されている該領域においてレスポンス信号を検出することができる。
【００５９】
一つの実施例では、通知ステップ501は、該基地局が上りデータをスケジューリングするための制御シグナリング（UL  grant）により、該ユーザ装置に、基地局がレスポンス信号を送信するPHICHリソースの所在する領域を通知することを含んでもよい。そのうち、該基地局は、第n時刻に上りデータをスケジューリングするための制御シグナリング（UL  grant）により、該ユーザ装置に、第n+k1時刻に上りデータを送信した後に基地局が第n+k2時刻にレスポンス信号を送信するPHICHリソースの所在する領域を通知する。
【００６０】
本実施例では、該基地局は、上りデータをスケジューリングするための制御シグナリング（UL  grant）中の新しく追加されている又は予備の1又は2個のビットにより、該ユーザ装置に通知する。
【００６１】
この場合、該通知ステップ501は、具体的に、該基地局が、レスポンス信号を送信する時に下りデータの送信があるかどうかに基づいて、レスポンス信号を送信するPHICHリソースの所在する領域を確定し、確定した該領域を該ユーザ装置に通知することを含んでもよい。そのうち、該基地局が、レスポンス信号を送信する時に下りデータの送信があるかどうかに基づいて、レスポンス信号を送信するPHICHリソースの所在する領域を確定することは、具体的に、次のことを含む。
【００６２】
下りデータの送信があれば、該PHICHリソースが該専用データ領域に位置すると確定し；及び
下りデータの送信がなければ、該PHICHリソースが該コモンデータ領域、又は、規定されている領域に位置すると確定する。
【００６３】
上述の実施例では、ユーザ装置が、該レスポンス信号を送信するPHICHリソースの所在する領域を把握している時に、該領域において該レスポンス信号を検出し、また、対応する復調方式を採用して該信号に対して復調を行ってもよく；そのうち、該レスポンス信号を送信する該PHICHリソースが専用データ領域に位置すれば、DM-RSを採用して復調を行い、ランクrank=1のプリエンコーディング方式を採用してもよく；該レスポンス信号を送信する該PHICHリソースがコモンデータ領域、又は、規定されている領域に位置すれば、CRSを採用して復調を行ってもよい。上述の復調方式の具体的なプロセスは、従来技術に記載のようであるので、ここでは、詳しい説明を省略する。
【００６４】
処理ステップ503では、従来技術に類似する方法を採用して処理を行い、デコーディングレスポンス信号を行ってもよいので、ここでは、詳しい説明を省略する。
【００６５】
一つの実施例では、PHICHリソースが専用データ領域に位置する時に、送信ステップ504において、該基地局が、該領域のPHICHリソースを用いて一個以上のレスポンス信号を送信する時に、各レスポンス信号が、異なる周波数拡散シーケンスに対応する。
【００６６】
基地局が複数のレスポンス信号を送信する必要がある時に、例えば、複数のACK/NACKビットを送信する必要がある時に、図2に示すように、同様に、これらのビットは、エンコーディング、変調、スクランブリング/周波数拡散を受けた後に、同じ物理リソースに多重化されて送信されてもよい。
【００６７】
本実施例では、該PHICHリソースにおいて該レスポンス信号を送信するビット数が、該ユーザ装置のために構成されている上りキャリアの個数、及び、該上りキャリアにおいて構成されている伝送モードに基づいて決定される。本実施例では、次のような公式を採用して該ビット数を取得することができる。
【数４】
2014512767.tif 000019
【００６８】
そのうち、Nackは、レスポンス信号の総ビット数を表し、
（外１２）
2014512767.tif 000020
は、各キャリア上の伝送ブロックの個数であり、各伝送ブロックは、一つのレスポンス信号のビットに対応し、Nccは、構成されている総キャリア数である。
【００６９】
本実施例では、該各レスポンス信号（即ち、ACK/NACK）が対応するPHICHリソースの周波数拡散シーケンスインデックスは、対応するキャリアのインデックス、及び、該キャリア上の伝送ブロックのインデックスに基づいて確定される。該各レスポンス信号が対応するPHICHリソースの周波数拡散シーケンスインデックスは、次のような公式を採用して取得され得る。
【数５】
2014512767.tif 000021
【００７０】
そのうち、nackは、レスポンス信号に対応する周波数拡散シーケンスインデックスを表し、nccは、レスポンス信号に対応するキャリアのインデックスを表す。
【００７１】
また、専用データ領域に位置するPHICHは、依然として、従来の標準に規定の変調エンコーディング方式と同じものを採用してもよく、即ち、三回重複エンコーディング、BPSK変調を採用してよく、また、他のプロセスについては、従来技術と類似するので、ここでは、詳しい説明を省略する。
【００７２】
本実施例では、該PHICHリソースの所在する領域がコモンデータ領域である時に、次のような公式に基づいて該コモンデータ領域の使用可能なPHICH組の総数を確定してもよい。
【数６】
2014512767.tif 000022
【００７３】
そのうち、
（外１３）
2014512767.tif 000023
は、コモンデータ領域の使用可能なPHICH組の総数を表し、
（外１４）
2014512767.tif 000024
は、コモンデータ領域の区分されているリソースブロックの総数であり、Ngは、上位層により構成されているパラメータであり、背景技術を参照する。
【００７４】
該コモンデータ領域では、ユーザ装置のPHICH組のインデックス及び該PHICH組に用いるシーケンスのインデックスは、次のようである。
【数７】
2014512767.tif 000025
【００７５】
そのうち、
（外１５）
2014512767.tif 000026
は、PHICH組のインデックスを表し、
（外１６）
2014512767.tif 000027
は、PHICH組に用いるシーケンスのインデックスを表し、nDMRSは、DM-RSのサイクリックシフトインデックスに対応する順番号を表し、
（外１７）
2014512767.tif 000028
は、最低の上りデータのリソースブロックのインデックスを表す。
（外１８）
2014512767.tif 000029
であり、そのうち、サブフレームn=4又は9に、PUSCH伝送のTDD  UL/DLの構成0を有する場合、IPHICH=1であり、他の場合、IPHICH=0である。
【００７６】
上述の実施例から分かるように、基地局はユーザ装置に、PHICHリソースの所在する領域を通知することができ、これにより、ユーザ装置は、対応する領域において、該レスポンス信号を検出し、送信データが新しいデータであるか、それとも再送データであるかを確定することができる。基地局によりレスポンス信号を送信するPHICHリソースを構成しているので、従来に存在するPHICHリソース不足の問題を解決することができる。
【００７７】
本発明の実施例は、更に、次に実施例４に記載のように、基地局をも提供する。該基地局が問題を解決する原理は、上述の実施例3の基地局に基づくレスポンス信号の送信方法と類似し、該基地局の実施は、上述の方法の実施を参照することができるので、ここでは、重複説明を省略する。
【実施例４】
【００７８】
本発明の実施例は、更に、基地局をも提供する。図6は、本発明の実施例4による基地局の構成図である。図6に示すように、該基地局は、通知ユニット601、受信ユニット602、処理ユニット603、及び送信ユニット604を含む。
【００７９】
そのうち、通知ユニット601は、ユーザ装置に、該基地局が該ユーザ装置により送信されている上りデータを受信した後にレスポンス信号を送信するPHICHリソースの所在する領域を通知するために用いられ、該領域は、規定されている領域、基地局により構成されている専用データ領域、又は、コモンデータ領域である。
【００８０】
受信ユニット602は、該ユーザ装置により送信されている上りデータを受信するために用いられる。
【００８１】
処理ユニット603は、受信した該上りデータに対して処理を行い、レスポンス信号を取得するために用いられる。
【００８２】
送信ユニット604は、該領域のPHICHリソースを利用して該レスポンス信号を送信するために用いられる。
【００８３】
上述の実施例から分かるように、基地局は、ユーザ装置に、PHICHリソースの所在する領域を通知し、これにより、ユーザ装置は、対応する領域において該レスポンス信号を検出し、送信データが新しいデータであるか、それとも再送データであるかを確定することができる。基地局によりレスポンス信号を送信するPHICHリソースを構成しているので、従来に存在するPHICHリソース不足の問題を解決することができる。
【００８４】
本実施例では、処理ユニット603は、従来技術に類似する方法を採用して処理を行ってもよいので、ここでは、詳しい説明を省略する。
【００８５】
本実施例では、該基地局は、更に、リソース構成ユニット（図示せず）を含んでもよく、該リソース構成ユニットは、レスポンス信号を送信するPHICHリソースの専用データ領域又はコモンデータ領域を構成するために用いられ、そのうち、該専用データ領域又はコモンデータ領域は、ユーザ装置のためにスケジューリングされている現在のサブフレームのデータリソースにおける第2個のタイムスロットのデータ領域に位置する。
【００８６】
該専用データ領域とは、現在のサブフレームのデータ領域に、該ユーザ装置による下りデータの送信をスケジューリングするための制御シグナリングが存在する時に、又は、現在のサブフレームに、該ユーザ装置による下りデータの送信スケジューリングするための制御シグナリングが存在しないが、下りデータが存在する時に、ユーザ装置のためにスケジューリングされているデータリソースの区分されている一部のデータ領域を指す。
【００８７】
該コモンデータ領域とは、基地局により半静的に構成されている、複数のユーザ装置が共用する一部のデータ領域を指す。
【００８８】
上述の実施例では、基地局が上述領域を構成する具体的な方式及び上述のデータ領域の位置は、実施例1に記載のようであるので、ここでは、詳しい説明を省略する。
【００８９】
一つの実施例では、該通知ユニット601は、領域構成ユニット及び情報通知ユニット（図示せず）を含み、そのうち、該領域構成ユニットは、レスポンス信号を送信するPHICHリソースの所在する領域を構成するために用いられ、該情報通知ユニットは、該領域構成ユニットにより構成されている該領域を該ユーザ装置に通知するために用いられる。そのうち、該領域構成ユニットは、上位層シグナリングRRCを採用して構成を行ってもよい。
【００９０】
一つの実施例では、該通知ユニット601は、具体的に、上りデータをスケジューリングするための制御シグナリング（UL  grant）により、該ユーザ装置に、レスポンス信号を送信するPHICHリソースの所在する領域を通知する。そのうち、具体的な通知方式は、実施例3に記載のようであるので、ここでは、詳しい説明を省略する。
【００９１】
また、PHICHリソースが専用データ領域に位置する時に、該基地局は、更に、ビット数計算ユニット（図示せず）を含んでもよく、このユニットは、該ユーザ装置のために構成されている上りキャリアの個数及び該上りキャリアにおいて構成されている伝送モードに基づいて、該PHICHリソースにより該レスポンス信号を送信するビット数を決定する。具体的には、公式（4）に示すようである。
【００９２】
一つの実施例では、PHICHリソースが専用データ領域に位置する時に、送信ユニット603は、該領域のPHICHリソースを用いて一個以上のレスポンス信号を送信する時に、各レスポンス信号は、異なる周波数拡散シーケンスに対応する。
【００９３】
基地局が複数のレスポンス信号を送信する必要がある時に、例えば、複数のACK/NACKビットを送信する必要がある時に、本実施例では、該基地局は、更に、周波数拡散シーケンスインデックス計算ユニット（図示せず）を含んでもよく、このユニットは、対応するキャリアのインデックス及び該キャリア上の伝送ブロックのインデックスに基づいて、各レスポンス信号（即ち、ACK/NACK）に対応するPHICHリソースの周波数拡散シーケンスインデックスを確定するために用いられる。具体的には、公式（5）を採用する。
【００９４】
本実施例では、該PHICHリソースの所在する領域がコモンデータ領域である時に、該基地局は、組（グループ）数確定ユニット（図示せず）を含んでもよく、公式（6）に基づいて該コモンデータ領域の使用可能なPHICH組の総数を確定してもよい。
【００９５】
また、該基地局は、更に、インデックス確定ユニット（図示せず）を含んでもよく、公式（7）を採用して該ユーザ装置のPHICH組のインデックス及び該PHICH組に使用するシーケンスのインデックスを計算してもよい。
【００９６】
上述の実施例から分かるように、基地局は、ユーザ装置に、PHICHリソースの所在する領域を通知することができ、これにより、ユーザ装置は、対応する領域において、該レスポンス信号を検出し、送信データが新しいデータであるか、それとも再送データであるかを確定することができる。基地局によりレスポンス信号を送信するPHICHリソースを構成しているので、従来に存在するPHICHリソース不足の問題を解決することができる。
【実施例５】
【００９７】
図7は、本発明の実施例5によるレスポンス信号の送信方法である。図7に示すように、該方法は、次のステップを含む。
【００９８】
ステップ701：メッセージ検出ステップであって、ユーザ装置が、基地局により送信されている通知メッセージを検出するステップである。該通知メッセージは、ユーザ装置に、該基地局が該ユーザ装置により送信されている上りデータを受信した後にレスポンス信号を送信するPHICHリソースの所在する領域を通知するために用いられ、該領域は、規定されている領域、基地局により構成されている専用データ領域、又は、コモンデータ領域である。
【００９９】
ステップ702：データ送信ステップであって、該ユーザ装置は、該基地局に上りデータを送信するステップである。
【０１００】
ステップ703：第一信号検出ステップであって、該ユーザ装置は、該基地局により送信指されている通知メッセージを検出する時に、該基地局により通知されている領域において該レスポンス信号を検出するステップである。
【０１０１】
上述の実施例では、ユーザ装置は、該レスポンス信号を送信するPHICHリソースの所在する領域を把握している時に、該領域において該レスポンス信号を検出し、また、対応する復調方式を採用して該信号に対して復調を行うことができ；そのうち、該レスポンス信号を送信する該PHICHリソースが専用データ領域に位置すれば、DM-RSを採用して復調を行い、ランクrank=1のプリエンコーディング方式を採用してもよく；該レスポンス信号を送信する該PHICHリソースがコモンデータ領域又は規定されている領域に位置すれば、CRSを採用して復調を行ってもよい。上述の復調方式の具体的なプロセスは、従来技術に記載のようであるので、ここでは、詳しい説明を省略する。
【０１０２】
本実施例では、該基地局が、上りデータをスケジューリングするための制御シグナリング（UL  grant）を用いて該ユーザ装置に、レスポンス信号を送信するPHICHリソースの所在する領域を通知する時に、該メッセージ検出ステップ701において、該ユーザ装置が、該上りデータをスケジューリングするための制御シグナリングを検出していなければ、該方法は、更に、次のステップを含む。
【０１０３】
第二信号検出ステップ（図示せず）であって、該ユーザ装置は、該基地局がレスポンス信号を送信する時に、ユーザ装置による下りデータの送信をスケジューリングするための制御シグナリングが存在することを検出した時に、該ユーザ装置は、対応する、ユーザ装置による下りデータの送信をスケジューリングするための制御シグナリング（DL  grant）の第2個のタイムスロットの物理リソースブロックにおいて該レスポンス信号を検出するステップである。
【０１０４】
或いは、該メッセージ検出ステップ701では、該ユーザ装置は、該上りデータをスケジューリングするための制御シグナリング（UL  grant）を検出していれば、該方法は、更に、次のステップを含む。
【０１０５】
第三信号検出ステップ（図示せず）であって、該ユーザ装置は、該基地局がレスポンス信号を送信する時に、該ユーザ装置による下りデータの送信をスケジューリングするための制御シグナリング（DL  grant）が存在することを検出してない時に、該ユーザ装置は、全ての送信可能な、該ユーザ装置による下りデータの送信をスケジューリングするための制御シグナリングの位置に対応するタイムスロットにおける物理リソースブロックにおいて該レスポンス信号をブラインド検出する。
【０１０６】
上述の実施例から分かるように、基地局はユーザ装置に、PHICHリソースの所在する領域を通知することができ、これにより、ユーザ装置は、対応する領域において該レスポンス信号を検出し、送信データが新しいデータであるか又は再送データであるかを確定する。
【実施例６】
【０１０７】
図8は、本発明の実施例6によるユーザ装置である。図８に示すように、該ユーザ装置は、メッセージ検出ユニット801、データ送信ユニット802、及び第一信号検出ユニット803を含む。
【０１０８】
メッセージ検出ユニット801は、基地局により送信されている通知メッセージを検出するために用いられ、該通知メッセージは、ユーザ装置に、該基地局が該ユーザ装置により送信されている上りデータを受信した後にレスポンス信号を送信するPHICHリソースの所在する領域を通知するために用いられ、該領域は、規定されている領域、基地局により構成されている専用データ領域、又は、コモンデータ領域である。
【０１０９】
データ送信ユニット802は、基地局に上りデータを送信するために用いられる。
【０１１０】
信号検出ユニット803は、該基地局により送信されている通知メッセージを検出した時に、該基地局により通知されている領域において該レスポンス信号を検出するために用いられる。
【０１１１】
本実施例では、該基地局が、上りデータをスケジューリングするための制御シグナリング（UL  grant）により、該ユーザ装置に、レスポンス信号を送信するPHICHリソースの所在する領域を通知する時に、該メッセージ検出ユニット801において、該上りデータをスケジューリングするための制御シグナリング（UL  grant）を検出していなければ、該ユーザ装置は、更に、次のユニットを含む。
【０１１２】
第二信号検出ユニット（図示せず）：該第二信号検出ユニットは、該基地局がレスポンス信号を送信する時に、ユーザ装置による下りデータの送信をスケジューリングするための制御シグナリング（DL grant）が存在することを検出した時に、対応する、ユーザ装置による下りデータの送信をスケジューリングする制御シグナリング（DL  grant）の第2個のタイムスロットの物理リソースブロックにおいて該レスポンス信号を検出するために用いられる。
【０１１３】
或いは、該メッセージ検出ユニット801において、上りデータをスケジューリングするための制御シグナリング（UL  grant）を検出していれば、該ユーザ装置は、更に、次のユニットを含む。
【０１１４】
第三信号検出ユニット（図示せず）：該第三信号検出ユニットは、該ユーザ装置が、該基地局がレスポンス信号を送信する時に、該ユーザ装置による下りデータの送信をスケジューリングするための制御シグナリング（DL grant）が存在することを検出していない時に、全ての送信可能な、該ユーザ装置による下りデータの送信をスケジューリングするための制御シグナリングの位置に対応するタイムスロットにおける物理リソースブロックにおいて該レスポンス信号をブラインド検出するために用いられる。
【０１１５】
上述の実施例から分かるように、基地局は、ユーザ装置にPHICHリソースの所在する領域を通知することができ、これにより、ユーザ装置は、対応する領域において、該レスポンス信号を検出し、送信データが新しいデータでるか、それとも再送データであるかを確定することができる。
【０１１６】
上述の実施例1〜6では、レスポンス信号をPHICHにより送信しているが、次の実施例では、レスポンス信号をUL  grantにより送信することを例として説明を行う。
【実施例７】
【０１１７】
本発明の実施例は、レスポンス信号の送信方法を提供する。図9は、本発明の実施例7によるレスポンス信号の送信方法のフローチャートである。図9に示すように、該方法は、次のステップを含む。
【０１１８】
ステップ901：基地局が、ユーザ装置により送信されている上りデータを受信し；
ステップ902：該基地局が、受信した該上りデータに対して処理を行い、レスポンス信号を取得し；及び
ステップ903：該基地局が、現在のサブフレームのデータ領域に、該ユーザ装置による下りデータの送信をスケジューリングするための制御指令(DL  grant)が存在し、また、該ユーザ装置による上りデータの送信をスケジューリングする制御指令(UL  grant)が存在すると確定する時に、該レスポンス信号を該UL  grantに置いて該ユーザ装置に送信する。
【０１１９】
そのうち、該DL  grantは、第1個のタイムスロット（slot1）に置かれ、該UL  grantは、第2個のタイムスロット（slot2）に置かれ、該第2個のタイムスロットにより送信するUL  grantの位置は、構成可能なCSI-RSの位置を避ける必要がある。
【０１２０】
そのうち、構成可能なCSI-RSの位置を避ける理由は、上述と同様であるので、ここでは、詳しい説明を省略する。
【０１２１】
上述の実施例から分かるように、現在のサブフレームのデータ領域に、DL  grant及びUL  grantが同時に存在する時に、基地局は、レスポンス信号を現在のサブフレームの第2個のタイムスロットのUL  grantに置くことができ、該方式でレスポンス信号を伝送することにより、PHICHリソース不足の問題を一定程度解決することができる。
【実施例８】
【０１２２】
図10は、本発明の実施例8による基地局の構成図である。図10に示すように、該基地局は、データ受信ユニット1001、データ処理ユニット1002、及び信号送信ユニット1003を含む。
【０１２３】
そのうち、データ受信ユニット1001は、ユーザ装置により送信されている上りデータを受信するために用いられる。
【０１２４】
データ処理ユニット1002は、受信した前記上りデータに対して処理を行い、レスポンス信号を取得するために用いられる。
【０１２５】
信号送信ユニット1003は、現在のサブフレームのデータ領域に、該ユーザ装置による下りデータの送信をスケジューリングするための制御指令（DL  grant）が存在し、また、前記ユーザ装置による上りデータの送信をスケジューリングするための制御指令（UL  grant）が存在する時に、該レスポンス信号を、ユーザ装置による上りデータの送信をスケジューリングするための制御指令（UL  grant）に置いて、該ユーザ装置に送信するために用いられる。
【０１２６】
そのうち、ユーザ装置による下りデータの送信をスケジューリングするための制御指令（UL  grant）は、現在のサブフレームの第1個のタイムスロットに置かれ、ユーザ装置による上りデータの送信をスケジューリングするための制御指令（UL  grant）は、現在のサブフレームの第2個のタイムスロットに置かれる。
【０１２７】
また、本実施例では、該第2個のタイムスロットにより送信するUL  grantの位置は、構成可能なCSI-RSの位置を避ける必要がある。
【０１２８】
上述の実施例から分かるように、現在のサブフレームのデータ領域にDL  grant及びUL  grantが同時に存在する時に、基地局は、レスポンス信号を現在のサブフレームの第2個のタイムスロットのUL  grantに置くことができ、該方式でレスポンス信号を伝送することにより、リソース不足の問題を一定程度解決することができる。
【０１２９】
本発明の実施例は、更に、コンピュータ可読プログラムを提供し、そのうち、リソース構成装置において該プログラムを実行する時に、該プログラムは、コンピュータに、前記リソース構成装置において実施例1に記載のリソース構成方法を実行させる。
【０１３０】
本発明の実施例は、更に、コンピュータ可読プログラムを記憶している記憶媒体を提供し、そのうち、該コンピュータ可読プログラムは、コンピュータに、リソース構成装置において実施例1に記載のリソース構成方法を実行させる。
【０１３１】
本発明の実施例は、更に、コンピュータ可読プログラムを提供し、そのうち、基地局において該プログラムを実行する時に、該プログラムは、コンピュータに、前記基地局において実施例3に記載のレスポンス信号の送信方法を実行させる。
【０１３２】
本発明の実施例は、更に、コンピュータ可読プログラムを記憶している記憶媒体を提供し、そのうち、該コンピュータ可読プログラムは、コンピュータに、基地局において実施例3に記載のレスポンス信号の送信方法を実行させる。
【０１３３】
本発明の実施例は、更に、コンピュータ可読プログラムを提供し、そのうち、ユーザ装置において該プログラムを実行する時に、該プログラムは、コンピュータに、前記ユーザ装置において実施例5に記載のレスポンス信号の送信方法を実行させる。
【０１３４】
本発明の実施例は、更に、コンピュータ可読プログラムを記憶している記憶媒体を提供し、そのうち、該コンピュータ可読プログラムは、コンピュータに、ユーザ装置において実施例5に記載のレスポンス信号の送信方法を実行させる。
【０１３５】
本発明の実施例は、更に、コンピュータ可読プログラムを提供し、そのうち、基地局に該プログラムを実行する時に、該プログラムは、コンピュータに、前記基地局において実施例7に記載のレスポンス信号の送信方法を実行させる。
【０１３６】
本発明の実施例は、更に、コンピュータ可読プログラムを記憶している記憶媒体を提供し、そのうち、該コンピュータ可読プログラムは、コンピュータに、基地局において実施例7に記載のレスポンス信号の送信方法を実行させる。
【０１３７】
本発明の以上の装置及び方法は、ハードウェアにより実現されてもよく、ハードウェアとソフトウェアとの組み合わせにより実現されてもよい。本発明は、このようなコンピュータ読み取り可能なプログラムにも関連し、当該プログラムは、ロジック部品により実行される時に、ロジック部品に、上述の装置又は構成部品を実行させることができ、又は、該ロジック部品に、上述の各種の方法又はステップを実行させることができる。本発明は、更に、上述のプログラムを記録している記録媒体、例えば、ハードディスク、磁気ディスク、光ディスク、DVD、flashメモリなどにも関する。
【０１３８】
以上、具体的な実施形態を基に、本発明について説明したが、当業者が理解すべきは、これらの説明は、例示的なものだけであり、本発明の保護範囲を制限するものではない。当業者は、本発明の思想及び原理に基づいて、本発明に対してあらゆる変形及び変更をしてもよく、これらの変形及び変更も、本発明の技術的範囲に属する。
【図１】
2014512767.tif 000040
【図２】
2014512767.tif 000041
【図３】
2014512767.tif 000042
【図４】
2014512767.tif 000043
【図５】
2014512767.tif 000044
【図６】
2014512767.tif 000045
【図７】
2014512767.tif 000046
【図８】
2014512767.tif 000047
【図９】
2014512767.tif 000048
【図１０】
2014512767.tif 000049
【国際調査報告】
2014512767.tif 000050
2014512767.tif 000051
2014512767.tif 000052
2014512767.tif 000053
2014512767.tif 000054
2014512767.tif 000055